(57)【要約】【課題】  容器に装着後、指で摘み易い摘み部を形成できる熱収縮性巻付けラベルを提供する。【解決手段】  容器の周方向に巻き付け且つ一方側端部２１と他方側端部２２を重ね合わせることにより筒状に形成される熱収縮性フィルム２を有し、熱収縮性フィルム２の上縁２３を含む上方領域に抜き部４が形成されており、熱収縮性フィルム２の上方領域が、抜き部４を挟んで、一方上方領域８Ｌと他方上方領域８Ｒとに分割されており、一方上方領域８Ｌの抜き部４に臨む臨側縁８１Ｌが、一方摘み部５Ｌの外形の一部又は全部を成し、且つ、他方上方領域８Ｒの抜き部４に臨む臨側縁とは反対側の非臨側縁８２Ｒが、他方摘み部５Ｒの外形の一部又は全部を成しており、熱収縮性フィルム２を筒状に形成した際に、一方摘み部５Ｌと他方摘み部５Ｒとを接着する接着部が設けられている。【選択図】  図１
2015121743.tif 000002
【特許請求の範囲】
【請求項１】
容器の周方向に巻き付け且つ一方側端部と他方側端部を重ね合わせることにより筒状に形成される熱収縮性フィルムを有し、
前記熱収縮性フィルムの上縁を含む上方領域に抜き部が形成されており、前記熱収縮性フィルムの上方領域が、前記抜き部を挟んで、一方上方領域と他方上方領域とに分割されており、
前記一方上方領域の前記抜き部に臨む臨側縁が、一方摘み部の外形の一部又は全部を成し、且つ、前記他方上方領域の前記抜き部に臨む臨側縁とは反対側の非臨側縁が、他方摘み部の外形の一部又は全部を成しており、
前記熱収縮性フィルムを筒状に形成した際に、前記一方摘み部と他方摘み部とを接着する接着部が設けられている、熱収縮性巻付けラベル。
【請求項２】
前記熱収縮性フィルムの面内に、左右方向と平行に延びる横切取り補助線が形成されている、請求項１に記載の熱収縮性巻付けラベル。
【請求項３】
前記熱収縮性フィルムの面内に、前記一方上方領域の臨側縁の下方から前記横切取り補助線に向かって、一方引裂き補助線が形成されている、請求項２に記載の熱収縮性巻付けラベル。
【請求項４】
前記熱収縮性フィルムの面内に、前記他方上方領域の非臨側縁の下方から前記横切取り補助線に向かって、他方引裂き補助線が形成されている、請求項２または３に記載の熱収縮性巻付けラベル。
【請求項５】
前記熱収縮性フィルムの面内に、前記一方上方領域の臨側縁の下方から前記横切取り補助線に向かって、一方引裂き補助線が形成され、且つ、前記他方上方領域の非臨側縁の下方から前記横切取り補助線に向かって、他方引裂き補助線が形成されており、
前記一方引裂き補助線と他方引裂き補助線が、平行である、請求項２に記載の熱収縮性巻付けラベル。
【請求項６】
前記一方引裂き補助線が、一方下斜めに延びている、請求項３または５に記載の熱収縮性巻付けラベル。
【請求項７】
前記他方引裂き補助線が、一方下斜めに延びている、請求項４または５に記載の熱収縮性巻付けラベル。
【発明の詳細な説明】
【技術分野】
【０００１】
本発明は、点眼容器などの各種容器に巻き付けて装着される熱収縮性巻付けラベルに関する。
【背景技術】
【０００２】
目薬などの医薬品、化粧品、調味料、飲料、食品などが収納されたキャップ付き容器に、熱収縮性巻付けラベルを装着することが広く行われている。例えば、点眼容器のキャップ部を含んで熱収縮性巻付けラベルが装着されたラベル付き容器が知られている（特許文献１）。
かかる特許文献１には、包装容器の容器本体とキャップとにまたがって周方向に巻き付けられる熱収縮性の表示ラベルの、キャップ側領域を本体側領域から切離すために周方向に形成される切離し予定帯状部において、その切離し予定帯状部の切断を開始するために端部が摘み部とされ、その摘み部を２層に構成するために、容器に巻き付けられる状態で該切離し予定帯状部の両端部が重なり合うように、少なくとも該切離し予定帯状部の長さが前記包装容器の周長より長く形成され、その重なり合うことが予定される両端部のうち、外側に位置することとなる外側端部には摘み部の突出外形が付与され、内側に位置することとなる内側端部には該突出外形とともに摘ままれる切離し領域を分断する分断線が形成され、かつ少なくともその突出外形の部分において、それら突出外形と切離し領域とを接着する粘着層を備える包装容器用表示ラベルが開示されている。
特許文献１の摘み部は、外側端部に付与された摘み部の突出外形と、内側端部に形成された分断線によって切り離し可能とされた切離し領域と、を接着した２層構造であるので、摘み部が熱収縮し難くなる。このため、特許文献１のラベルは、容器に装着後においても摘み部の本来の形態を確保できる。
【０００３】
しかしながら、前記突出外形と切離し領域とからなる摘み部は、ラベルの面内に形成されているため、摘み部を指で摘み難いという欠点がある。
具体的には、特許文献１の摘み部を構成する切離し領域は、ラベルの面内に形成された分断線によって切り離し可能とされた領域である。かかるラベルの摘み部を摘むためには、前記分断線から切離し領域を含む摘み部を引き起こさなければならないが、分断線は、線状の切り目であるため、前記摘み部を引き起こし難い。特に、２層構造である摘み部は、装着後の形態が装着前の形態と余り変化しないので、前記分断線が拡がらず、摘み部を引き起こし、これを摘み難い。
【先行技術文献】
【特許文献】
【０００４】
【特許文献１】特開２０１２−２４７６９４号公報
【発明の概要】
【発明が解決しようとする課題】
【０００５】
本発明の目的は、容器に装着後、指で摘み易い摘み部を形成できる熱収縮性巻付けラベルを提供することであり、さらに、摘み部を指で摘み、容易に切り取ることができる熱収縮性巻付けラベルを提供することである。
【課題を解決するための手段】
【０００６】
本発明の熱収縮性巻付けラベルは、容器の周方向に巻き付け且つ一方側端部と他方側端部を重ね合わせることにより筒状に形成される熱収縮性フィルムを有し、前記熱収縮性フィルムの上縁を含む上方領域に抜き部が形成されており、前記熱収縮性フィルムの上方領域が、前記抜き部を挟んで、一方上方領域と他方上方領域とに分割されており、前記一方上方領域の前記抜き部に臨む臨側縁が、一方摘み部の外形の一部又は全部を成し、且つ、前記他方上方領域の前記抜き部に臨む臨側縁とは反対側の非臨側縁が、他方摘み部の外形の一部又は全部を成しており、前記熱収縮性フィルムを筒状に形成した際に、前記一方摘み部と他方摘み部とを接着する接着部が設けられている。
【０００７】
本発明の好ましい熱収縮性巻付けラベルは、前記熱収縮性フィルムの面内に、左右方向と平行に延びる横切取り補助線が形成されている。
本発明の好ましい熱収縮性巻付けラベルは、前記熱収縮性フィルムの面内に、前記一方上方領域の臨側縁の下方から前記横切取り補助線に向かって、一方引裂き補助線が形成されている。
本発明の好ましい熱収縮性巻付けラベルは、前記熱収縮性フィルムの面内に、前記他方上方領域の非臨側縁の下方から前記横切取り補助線に向かって、他方引裂き補助線が形成されている。
【０００８】
本発明の好ましい熱収縮性巻付けラベルは、前記熱収縮性フィルムの面内に、前記一方上方領域の臨側縁の下方から前記横切取り補助線に向かって、一方引裂き補助線が形成され、且つ、前記他方上方領域の非臨側縁の下方から前記横切取り補助線に向かって、他方引裂き補助線が形成されており、前記一方引裂き補助線と他方引裂き補助線が、平行である。
本発明の好ましい熱収縮性巻付けラベルは、前記一方引裂き補助線が、一方下斜めに延びている。
本発明の好ましい熱収縮性巻付けラベルは、前記他方引裂き補助線が、一方下斜めに延びている。
【発明の効果】
【０００９】
本発明の熱収縮性巻付けラベルは、熱収縮性フィルムの上方領域に抜き部が形成され、その抜き部に臨んで一方摘み部が設けられている。かかる熱収縮性巻付けラベルを筒状に形成し、接着部を介して一方摘み部と他方摘み部を接着することにより、２重構造の摘み部を形成できる。この摘み部は、熱収縮性巻付けラベルの上方に位置し、且つ、抜き部に臨んでいるので、抜き部に指先を入れ、摘み部を容易に摘むことができる。
【図面の簡単な説明】
【００１０】
【図１】第１実施形態に係る熱収縮性巻付けラベルを裏面側から見た平面図。
【図２】図１のＩＩ−ＩＩ線で切断した断面図。
【図３】図１のＩＩＩ−ＩＩＩ線で切断した断面図。
【図４】同熱収縮性巻付けラベルを裏面側から見た平面図であって、接着部が設けられた範囲を判りやすく図示するために、接着部に無数のドットを付与した平面図。
【図５】ラベル付き容器の正面図。
【図６】同熱収縮性巻付けラベルを容器に装着する手順を示す正面図。ただし、接着部が設けられた範囲を判りやすく図示するために、図４と同様に、接着部に無数のドットを付与している（図７乃至図１０も同じ）。
【図７】第２実施形態の熱収縮性巻付けラベルを裏面側から見た平面図。
【図８】第３実施形態の熱収縮性巻付けラベルを裏面側から見た平面図。
【図９】第４実施形態の熱収縮性巻付けラベルを裏面側から見た平面図。
【図１０】第５実施形態の熱収縮性巻付けラベルを裏面側から見た平面図。
【発明を実施するための形態】
【００１１】
以下、本発明について、図面を参照しつつ具体的に説明する。
なお、本明細書において、「上」及び「下」は、熱収縮性巻付けラベルを容器に装着し、その容器を自立させた状態を基準にしている。また、熱収縮性巻付けラベルの「左右方向」は、熱収縮性巻付けラベルを容器に巻き付けた際に容器の周方向となる方向であり、熱収縮性巻付けラベルの「上下方向」は、前記左右方向と直交する方向である（容器の軸方向である）。熱収縮性巻付けラベルの説明において、「一方」は、熱収縮性巻付けラベルの左右方向の何れかの側であり、「他方」は、その左右方向反対側である。
また、本明細書において、「ＰＰＰ〜ＱＱＱ」という表記は、「ＰＰＰ以上ＱＱＱ以下」を意味する。さらに、本明細書において、角度及びその関係（例えば、直交、平行など）は、本発明の属する技術分野において許容される誤差範囲を含むものとする。例えば、平行などは、厳密な角度±１０度の範囲内であることを意味し、好ましくは、±５度の範囲内である。
各図に示される部分及び部材の寸法、縮尺及び形状は、実際のものとは異なっていることに留意されたい。
【００１２】
［第１実施形態］
図１乃至図３において、本発明の熱収縮性巻付けラベル１は、容器の周方向に巻き付け且つ一方側端部２１と他方側端部２２を重ね合わせることにより筒状に形成される熱収縮性フィルム２と、前記熱収縮性フィルム２の裏面側に設けられた接着部３と、を有する。
前記熱収縮性フィルム２の上方領域は、抜き部４を挟んで、一方上方領域８Ｌと他方上方領域８Ｒとに分割されている。前記一方上方領域８Ｌの一部が、一方摘み部５Ｌとなり、且つ、前記他方上方領域８Ｒの一部が、他方摘み部５Ｒとなる。熱収縮性フィルム２を筒状に形成した際、前記一方摘み部５Ｌと他方摘み部５Ｒを重ねて接着することにより、摘み部が形成される。前記接着部の一部は、一方摘み部５Ｌと他方摘み部５Ｒを接着するために用いられる。
以下、具体的に説明する。
【００１３】
熱収縮性フィルム２は、加熱した際に少なくとも左右方向（容器の周方向）に熱収縮しうる性質を有するフィルムである。つまり、熱収縮性フィルム２は、所要温度（例えば７０℃〜１００℃）で少なくとも左右方向に熱収縮可能である。かかる熱収縮性フィルム２を用いた熱収縮性巻付けラベル１は、前記所要温度で少なくとも周方向に熱収縮可能であり、容器に密着する程の熱収縮率を有する。
【００１４】
前記熱収縮性フィルム２としては、特に限定されず、例えば、ポリスチレンなどのスチレン系樹脂、ポリエチレンテレフタレート、ポリ乳酸などのポリエステル系樹脂、ポリプロピレン、環状オレフィンなどのオレフィン系樹脂、ポリカーボネート、塩化ビニル系樹脂などの熱可塑性樹脂からから選ばれる１種単独、又は２種以上の混合物を含むフィルムを用いることができる。また、熱収縮性フィルム２として、熱収縮性を有する２種以上のフィルムが積層された積層フィルムや、金属蒸着層などの非熱収縮層が熱収縮性を有するフィルムに積層された積層フィルムを用いることもできる。フィルムは公知の製法で製膜し、延伸処理することにより熱収縮性を付与できる。熱収縮性フィルム２は、前記フィルムの主たる延伸方向が左右方向となるようにして用いられる。
前記熱収縮性フィルム２の厚みは、特に限定されないが、例えば２０μｍ〜８０μｍ、更に、２０μｍ〜６０μｍ程度のものを用いることができる。
なお、熱収縮性フィルム２には、必要に応じて、所望のデザイン印刷が施される。ただし、デザイン印刷は、図示しない。
【００１５】
熱収縮性フィルム２の平面視形状は、通常、略矩形状である。熱収縮性フィルム２の左右方向の長さは、熱収縮性フィルム２の一方側端部２１と他方側端部２２とを重ね合わせるために、容器の周長よりも大きい。熱収縮性フィルム２の上下方向の長さは、特に限定されず、容器の上下方向長さよりも大きくてもよいし、或いは、小さくてもよいし、或いは、同じでもよい。
【００１６】
前記熱収縮性フィルム２の面内の上下方向中途部には、左右方向と平行に延びる横切取り補助線６が形成されている。前記横切取り補助線６は、熱収縮性フィルム２の一方縁２１Ｌから他方縁２２Ｒにかけて形成されている。横切取り補助線６は、その線に沿って熱収縮性フィルム２を容易に分断できるものであれば特に限定されず、例えば、ミシン目線、ハーフカット線などを用いることができる。これらは単独でまたは適宜組み合わせて用いることができる。
前記ミシン目線は、ミシン針の縫い目跡の如く、熱収縮性フィルム２の厚み方向に貫通する貫通孔（円形状の貫通孔または線状の貫通孔）が断続的に刻設された線である。つまり、ミシン目線は、貫通孔と非貫通部が交互に連なって形成された線である。前記ハーフカット線は、（熱収縮性フィルム２を貫通せず）熱収縮性フィルム２の厚み方向に略Ｖ字状に切り込んだ刻み部が連続する線である。好ましくは、横切取り補助線６としては、図示のように、ミシン目線が用いられる。
横切取り補助線６としてミシン目線を用いる場合には、その形成部分を極めて容易に分断できることから、その貫通孔の長さ（貫通孔が円形状の場合には直径。以下同じ）が、例えば、０．５ｍｍ〜２ｍｍ程度に形成され、且つその非貫通部の長さが、例えば、０．５ｍｍ〜２．５ｍｍ程度に形成されていることが好ましい。また、横切取り補助線６として、マイクロミシン目線を用いることもできる。なお、マイクロミシン目線は、ミシン目線であって、貫通孔の長さと非貫通部の長さがそれぞれ０．３ｍｍ〜０．８ｍｍ程度のものをいう。
【００１７】
前記熱収縮性フィルム２の上縁２３を含む上方領域には、抜き部４が形成されている。前記抜き部４は、平面視略矩形状の熱収縮性フィルム２の上縁２３を含む一部分を切欠くことにより生じる空間である。なお、前記抜き部４は、熱収縮性フィルム２の一方縁２１Ｌ及び他方縁２２Ｒを含まず且つ熱収縮性フィルム２の上縁２３を含む上方領域の左右方向中途部に形成されている。図示例では、抜き部４は、熱収縮性フィルム２の上方領域の中間部よりも一方寄りに形成されている。
抜き部４の大きさは、特に限定されず、適宜設定できる。抜き部４は、少なくとも指の爪を抜き部４に入れることができる程度の大きさに形成される。例えば、抜き部４の左右方向長さは、５ｍｍ以上が好ましく、抜き部４の上下方向長さは、５ｍｍ〜２０ｍｍが好ましい。
【００１８】
前記抜き部４が形成されることによって、熱収縮性フィルム２の上方領域は、２つに分割されている。つまり、熱収縮性フィルム２の上方領域は、抜き部４を挟んで、一方上方領域８Ｌと他方上方領域８Ｒとに分割されている。一方上方領域８Ｌの一部分が、一方摘み部５Ｌとなり、他方上方領域８Ｒの一部分が、他方摘み部５Ｒとなる。
一方上方領域８Ｌは、抜き部４に臨む臨側縁８１Ｌと、熱収縮性フィルム２の上縁２３と、前記臨側縁８１Ｌとは反対側の非臨側縁８２Ｌと、によって囲われた領域である。他方上方領域８Ｒは、抜き部４に臨む臨側縁８１Ｒと、熱収縮性フィルム２の上縁２３と、前記臨側縁８１Ｒとは反対側の非臨側縁８２Ｒと、によって囲われた領域である。抜き部４に臨む臨側縁８１Ｒは、上下方向に延びている。以下、前記一方上方領域８Ｌの「臨側縁」及び「非臨側縁」を「一方臨側縁」及び「一方非臨側縁」といい、前記他方上方領域８Ｒの「臨側縁」及び「非臨側縁」を「他方臨側縁」及び「他方非臨側縁」という。
前記一方臨側縁８１Ｌは、一方摘み部５Ｌの外形の一部を成しており、他方非臨側縁８２Ｒは、他方摘み部５Ｒの外形の一部を成している。また、前記一方非臨側縁８２Ｌは、熱収縮性フィルム２の一方縁２１Ｌの一部（一方縁２１Ｌの上方部分）であり、前記他方非臨側縁８２Ｒは、熱収縮性フィルム２の他方縁２２Ｒの一部（他方縁２２Ｒの上方部分）である。
【００１９】
本実施形態においては、前記一方臨側縁８１Ｌは、熱収縮性フィルム２の上縁２３に連続した弧状縁と、弧状縁に連続し且つ上下方向と平行に延びる直状縁と、からなる。前記他方非臨側縁８２Ｒは、熱収縮性フィルム２の上縁２３に連続した弧状縁と、弧状縁に連続し且つ上下方向と平行に延びる直状縁と、からなる。
前記一方臨側縁８１Ｌと他方非臨側縁８２Ｒは、図示のように、同じ形状（重ね合わせると一致する形状）であることが好ましい。
一方摘み部５Ｌの外形は、前記一方臨側縁８１Ｌと、一方臨側縁８１Ｌの弧状縁に連続する熱収縮性フィルム２の上縁２３の一部と、から構成されている。他方摘み部５Ｒの外形は、前記他方非臨側縁８２Ｒと、他方非臨側縁８２Ｒの弧状縁に連続する熱収縮性フィルム２の上縁２３の一部と、から構成されている。
【００２０】
また、熱収縮性フィルム２の面内には、一方臨側縁８１Ｌの下方から前記横切取り補助線６に向かって、一方引裂き補助線７Ｌが形成され、さらに、他方非臨側縁８２Ｒの下方から前記横切取り補助線６に向かって、他方引裂き補助線７Ｒが形成されている。
一方引裂き補助線７Ｌは、一方臨側縁８１Ｌと抜き部４に臨む上向縁４１とで形成される角縁から、横切取り補助線６にまで形成されている。従って、一方引裂き補助線７Ｌの一端は、角縁に位置し、その他端は、横切取り補助線６の一部分に位置している。もっとも、一方引裂き補助線７Ｌの他端は、横切取り補助線６にまで形成されていなくてもよく、前記角縁と横切取り補助線６の中途部に位置していてもよい。
他方引裂き補助線７Ｒは、他方非臨側縁８２Ｒの下方から横切取り補助線６にまで形成されている。従って、他方引裂き補助線７Ｒの一端は、他方非臨側縁８２Ｒの下方に位置し、その他端は、横切取り補助線６の一部分に位置している。もっとも、他方引裂き補助線７Ｒの他端は、横切取り補助線６にまで形成されていなくてもよく、前記他方非臨側縁８２Ｒの下方と横切取り補助線６の中途部に位置していてもよい。
前記一方引裂き補助線７Ｌ及び他方引裂き補助線７Ｒは、それぞれ横切取り補助線６に対して直交する方向に延びて形成されていてもよいが、好ましくは、横切取り補助線６に対して傾斜する方向に延びて形成される。特に、一方引裂き補助線７Ｌ及び他方引裂き補助線７Ｒは、それぞれ、図１に示すように、その一端から一方下斜めに延びて形成されていることがより好ましい。
また、一方引裂き補助線７Ｌと他方引裂き補助線７Ｒは、非平行でもよいが、好ましくは互いに平行に形成され、より好ましくは、平行且つ一方下斜めに延びて形成される。
【００２１】
前記一方引裂き補助線７Ｌ及び他方引裂き補助線７Ｒは、その線に沿って熱収縮性フィルム２を容易に分断できるものであれば特に限定されず、例えば、ミシン目線、ハーフカット線などを用いることができる。これらは単独でまたは適宜組み合わせて用いることができる。好ましくは、一方引裂き補助線７Ｌ及び他方引裂き補助線７Ｒとしては、図示のように、ミシン目線が用いられる。一方引裂き補助線７Ｌ及び他方引裂き補助線７Ｒのミシン目線としては、上記横切取り補助線６で例示したようなミシン目線（又はマイクロミシン目線）が挙げられる。
【００２２】
接着部は、粘着剤層３ａ（又は接着剤層）が露出した部分である。接着部が設けられた範囲を判りやすく示した図４も参照して、前記接着部は、熱収縮性フィルム２の裏面に部分的に設けられている。具体的には、接着部は、（１）横切取り補助線６の下方近傍領域を除く、横切取り補助線６よりも下方の領域全体に設けられた第１接着部３１、（２）一方側端部２１のうち横切取り補助線６と上縁２３との間にスポット的に設けられた第２接着部３２、（３）他方上方領域８Ｒのうち、他方臨側縁８１Ｒを含む他方臨側部に設けられた第３接着部３３、（４）他方側端部２２のうち横切取り補助線６と他方引裂き補助線７Ｒとの間の領域に設けられた第４接着部３４、（５）他方側端部２２のうち他方引裂き補助線７Ｒと上縁２３との間の領域に設けられた第５接着部３５、とからなる。このうち、第５接着部３５が、一方摘み部５Ｌと他方摘み部５Ｒを接着して摘み部を形成するための接着部である。また、本実施形態では、後述するように、熱収縮性巻付けラベル１を容器に装着する際には、その他方側端部２２を一方側端部２１の表面に重ね合わせる。前記第１接着部３１の他方部、第４接着部３４及び第５接着部３５は、前記のように外側に配置される他方側端部２２が捲れないように接着させるための接着部でもある。
なお、横切取り補助線６の両側近傍領域には、接着部が設けられていない。前記両側近傍領域は、横切取り補助線６を基準に±１ｍｍ〜５ｍｍ程度の範囲である。一方引裂き補助線７Ｌ及び他方引裂き補助線７Ｒの各両側近傍領域にも、横切取り補助線６と同様に、接着部が設けられていない。
【００２３】
前記接着部を構成する粘着剤又は接着剤は、特に限定されず、感圧型粘着剤、感熱型粘着剤、感熱型接着剤などを用いることができる。図示例では、接着部３１，３２，３３，３４，３５は、感圧型粘着剤から構成されている。
接着部の形成方法は、特に限定されず、例えば、熱収縮性フィルム２の裏面のうち、上記第１乃至第５接着部３５の形成予定範囲のみに粘着剤又は接着剤を塗布してもよいし、熱収縮性フィルム２の裏面全体に粘着剤又は接着剤を塗布して粘着剤層（又は接着剤層）を形成し、上記第１乃至第５接着部３１，３２，３３，３４，３５の形成予定範囲以外をマスキングしてもよい。感熱型粘着剤又は感熱型接着剤を用いる場合には、前者の形成方法が好ましく、感圧型粘着剤を用いる場合には、後者の形成方法が好ましい。
図示例では、熱収縮性フィルム２の裏面全体に感圧型粘着剤を塗布して粘着剤層３ａを形成し、その粘着剤層３ａの裏面のうち第１乃至第５接着部３１，３２，３３，３４，３５の形成予定範囲以外にマスキング剤を塗布してマスキング層３ｂを形成することにより、第１乃至第５接着部３１，３２，３３，３４，３５が形成されている。
マスキング剤は、粘着剤の粘着力を実質的に隠蔽できるものであれば特に限定されず、例えば、紫外線硬化型インキなどを用いることができる。
【００２４】
上記熱収縮性巻付けラベル１は、容器に装着して使用される。
本発明のラベル付き容器１０は、図５に示すように、容器９と、容器９の周方向に巻き付けられ且つ一方側端部２１と他方側端部２２を重ね合わせて接着することにより筒状に形成された熱収縮性フィルム２を有する上記熱収縮性巻付けラベル１と、を有し、前記熱収縮性フィルム２の上方領域が、抜き部４を挟んで、一方上方領域８Ｌと他方上方領域８Ｒとに分割されており、一方臨側縁８１Ｌが一方摘み部５Ｌの外形の一部又は全部を成し、且つ、他方非臨側縁８２Ｒが他方摘み部５Ｒの外形の一部又は全部を成しており、前記一方摘み部５Ｌと他方摘み部５Ｒとを接着することにより摘み部５が構成されている。
好ましくは、前記一方摘み部５Ｌの外形と他方摘み部５Ｒの外形が一致するように、一方摘み部５Ｌと他方摘み部５Ｒが接着されている。好ましくは、一方引裂き補助線７Ｌと他方引裂き補助線７Ｒが一致するように、一方摘み部５Ｌと他方摘み部５Ｒが接着されている。本明細書において、前記「一方摘み部の外形と他方摘み部の外形が一致する」及び「一方引裂き補助線と他方引裂き補助線が一致する」とは、本発明の属する技術分野において許容される誤差範囲を含むものとする。前記「一致」は、厳密に重なっている（正面から見て、１本の線に見える）場合だけでなく、例えば、２つの外形（又は２つの引裂き補助線）が左右方向に±５ｍｍの範囲でずれている場合を含む。
【００２５】
本発明の熱収縮性巻付けラベル１が装着される容器９は、特に限定されず、従来公知の容器、例えば、ネジキャップ付き容器、跳ね上げ嵌合式キャップ付き容器、キャップ無し容器などが挙げられる。
図６は、キャップ付き容器９に熱収縮性巻付けラベル１を装着する手順を示す図である。
キャップ付き容器９は、収納物を入れる胴部を有する容器本体９１と、容器本体９１の注出口を塞ぎ且つ容器本体９１の上方にネジ作用で着脱可能に取り付けられたキャップ部９２と、を備える。
図６（ａ）に示すように、熱収縮性巻付けラベル１の一方側端部２１の裏面を、第１接着部３１及び第２接着部３２を介して、キャップ付き容器９の容器本体９１とキャップ部９２に跨がって貼り付ける。この際、横切取り補助線６がキャップ部９２と容器本体９１の境界部９３に位置する又は境界部９３よりも下側に位置するように、熱収縮性巻付けラベル１を位置合わせすることが好ましい。
次に、図６（ｂ）に示すように、熱収縮性巻付けラベル１をキャップ付き容器９の周方向に巻き付ける（上から見て、時計回りに熱収縮性巻付けラベル１を巻き付ける）。巻き付けた際には、第３接着部３３を介して他方上方領域８Ｒの他方臨側部がキャップ部９２に接着すると共に、第１接着部３１を介して熱収縮性巻付けラベル１の下方の領域が容器本体９１に接着する。第３接着部３３によって他方臨側部が容器９に接着されるので、抜き部４に臨む他方臨側部が捲れることを防止できる。
【００２６】
さらに、図６（ｃ）に示すように、熱収縮性巻付けラベル１の他方側端部２２の裏面を、一方側端部２１の表面に重ね合わせ、第１、第４及び第５接着部３１，３４，３５を介して一方側端部２１に接着する。第５接着部３５により、一方摘み部５Ｌの表面に他方摘み部５Ｒの裏面が接着される。この際、他方摘み部５Ｒの外形が一方摘み部５Ｌの外形に一致するように、他方摘み部５Ｒを一方摘み部５Ｌに重ねることが好ましく、さらに、他方引裂き補助線７Ｒが一方引裂き補助線７Ｌに一致するように、他方摘み部５Ｒを一方摘み部５Ｌに重ねることが好ましい。なお、通常、装着予定の容器９の形状を考慮して、一方摘み部５Ｌ及び他方摘み部５Ｒの大きさ及び位置並びに一方引裂き補助線７Ｌ及び他方引裂き補助線７Ｒの配置を設計することにより、熱収縮性巻付けラベル１を容器９に巻き付ければ、前記のように他方摘み部５Ｒ及び他方摘み部５Ｒの外形並びに一方引裂き補助線７Ｌ及び他方引裂き補助線７Ｒが一致するようになる。
【００２７】
図６（ｃ）のように、容器９の周囲に巻き付けて筒状に形成された熱収縮性巻付けラベル１を、所要温度に加熱することにより、熱収縮性フィルム２が熱収縮し、熱収縮性巻付けラベル１が容器９の外形に沿って密着する。
このようにして図５に示すようなラベル付き容器１０が得られる。
本発明の熱収縮性巻付けラベル１は、容器９に巻き付け後、一方摘み部５Ｌと他方摘み部５Ｒとを接着した２重構造の摘み部５を形成できる。かかる２重構造の摘み部５は、加熱によって収縮し難く、従って、上記熱収縮性巻付けラベル１を用いれば、比較的大きな摘み部５を有するラベル付き容器１０を提供できる。
このラベル付き容器１０を開封する際には、抜き部４に指先を入れ、摘み部５を摘んで周方向に引き出すことにより、熱収縮性巻付けラベル１が一方引裂き補助線７Ｌ及び他方引裂き補助線７Ｒに沿って横切取り補助線６まで切れていき、さらに、横切取り補助線６に沿って周方向に切れていく。このようにして、摘み部５を摘んで引き出すことにより、横切取り補助線６よりも上方の部分を容器９から容易に除去できる。
【００２８】
本発明の熱収縮性巻付けラベル１は、熱収縮性フィルム２の上縁２３を含む上方領域に抜き部４が形成され、その抜き部４に臨んで一方摘み部５Ｌが配置されている。一方摘み部５Ｌは熱収縮性巻付けラベル１を容器９に巻き付け後に他方摘み部５Ｒと一体となって摘み部５を構成するので、その摘み部５は、抜き部４に臨んでいる。このため、抜き部４に指先を入れ、摘み部５を容易に摘むことができる。なお、摘み部５の裏面側（図示例では、一方摘み部５Ｌの裏面）は、（接着部が設けられておらず）容器９に非接着である。
さらに、一方臨側縁８１Ｌの下方から一方引裂き補助線７Ｌが形成され、且つ、他方非臨側縁８２Ｒの下方から他方引裂き補助線７Ｒが形成されているので、摘み部５を摘んで引き出すと、一方引裂き補助線７Ｌ及び他方引裂き補助線７Ｒに引き裂き力が作用して、それら引裂き補助線に沿って横切取り補助線６まで容易に切り取ることができる。特に、他方引裂き補助線７Ｒを挟んで第４及び第５接着部３４，３５が設けられているので、他方引裂き補助線７Ｒに引き裂き力が集中し、それに沿って確実に切り取ることができる。
また、一方引裂き補助線７Ｌ及び他方引裂き補助線７Ｒは、一方下斜めに延設されており、これは容器９に装着された状態のラベル１の摘み部５の端とは反対の方向であるので、摘み部５を摘んで反時計回り且つ下方に引き出すと、一方引裂き補助線７Ｌ及び他方引裂き補助線７Ｒに沿って、摘み部５から反時計回り且つ下方に（図５で見て、右下斜めに）スムースに切れていくようになる。
【００２９】
本発明の熱収縮性巻付けラベル及びラベル付き容器は、上記第１実施形態に限られず、本発明の意図する範囲で適宜設計変更できる。以下、本発明の他の実施形態を説明するが、その説明に於いて、主として上記第１実施形態と異なる構成及び効果について説明し、上記第１実施形態と同様の構成などについては、用語又は符号をそのまま援用し、その構成の説明を省略する場合がある。
【００３０】
［第２実施形態］
上記第１実施形態では、他方臨側縁８１Ｒが上下方向に延びているが、これに限定されず、例えば、図７に示すように、他方臨側縁８１Ｒが、上方に向かうに従い他方側へ延びる傾斜状に形成されていてもよい。抜き部４に臨む他方臨側縁８１Ｒを、前記のように傾斜状に形成することにより、熱収縮性巻付けラベル１を容器に装着後、その側縁８１Ｒが捲れ難くなる。特に、同図に示すように、傾斜状の他方臨側縁８１Ｒを含む他方臨側部（傾斜帯状部分）に接着部３６を設けておくことにより、他方臨側縁８１Ｒが捲れることを確実に防止できる。
【００３１】
また、上記第１実施形態では、一方側端部２１のうち横切取り補助線６と上縁２３との間にスポット的に第２接着部３２が設けられているが、図７に示すように、この部分に接着部が設けられていなくてもよい。
さらに、上記第１実施形態では、抜き部４に臨む上向縁４１を含む上向縁部に接着部が設けられていないが、図７に示すように、上向縁４１を含む上向縁部（左右方向に延びる帯状部分）に接着部３７が設けられていてもよい。この部分に接着部３７を設けることにより、ラベル付き容器を開封する際に摘み部５を摘んで引き出すと、一方引裂き補助線７Ｌに引き裂き力が作用し易くなるので好ましい。
また、上記第１実施形態では、他方側端部２２において、他方引裂き補助線７Ｒの両側近傍領域に接着部が設けられていないが、他方引裂き補助線７Ｒの両側近傍領域の全部又は一部に接着部が設けられていてもよい。例えば、図７に示すように、他方引裂き補助線７Ｒ及びその両側近傍領域の上方部を含む、横切取り補助線６よりも上方部分に、接着部３８が設けられていてもよい。
【００３２】
［第３実施形態］
上記第１実施形態では、一方臨側縁８１Ｌ及び他方非臨側縁８２Ｒは、弧状縁と直状縁とからなるが、これに限定されず、例えば、図８に示すように、一方臨側縁８１Ｌ及び他方非臨側縁８２Ｒの全体が直線状に形成されていてもよい。なお、図示例では、一方臨側縁８１Ｌ及び他方非臨側縁８２Ｒは、上下方向と平行な直線状であるが、上下方向に対して傾斜した直線状であってもよい。
さらに、上記第１実施形態では、他方上方領域８Ｒは、一方上方領域８Ｌに比して十分に大きいが、例えば、図８に示すように、他方上方領域８Ｒと一方上方領域８Ｌが比較的同じような大きさに形成されていてもよい。つまり、抜き部４の大きさや形成位置を適宜変更することにより、他方上方領域８Ｒ及び一方上方領域８Ｌの大きさも適宜変更できる。なお、図８の例では、一方上方領域８Ｌの略全体が一方摘み部５Ｌとなり、他方上方領域８Ｒの略全体が他方摘み部５Ｒとなっている。
【００３３】
また、上記第１実施形態では、他方摘み部５Ｒに対応して他方引裂き補助線７Ｒが形成されているが、例えば、図８に示すように、他方引裂き補助線７Ｒが形成されていなくてもよい。この場合、一方引裂き補助線７Ｌに沿って熱収縮性巻付けラベル１を容易に切り取ることができるようにするために、熱収縮性フィルム２の他方側端部２２の一部を切り欠くことにより、一方引裂き補助線７Ｌの平面視形状と同形状の当て縁２５を形成しておくことが好ましい。熱収縮性巻付けラベル１を容器９に巻き付ける際、前記当て縁２５が一方引裂き補助線７Ｌに一致するように、他方摘み部５Ｒを一方摘み部５Ｌに重ねて接着することにより、一方引裂き補助線７Ｌに沿って容易に切れるようになる。
【００３４】
［第４実施形態］
また、図９に示すように、一方臨側縁８１Ｌの全体が抜き部４側に膨らんだ半円弧状に形成され、且つ、他方非臨側縁８２Ｒの全体が外側に膨らんだ半円弧状に形成されていてもよい。この場合、一方摘み部５Ｌの外形は、前記一方臨側縁８１Ｌの全部から構成され、他方摘み部５Ｒの外形は、他方非臨側縁８２Ｒの全部から構成される。
このように一方臨側縁８１Ｌ及び他方非臨側縁８２Ｒが半円弧状に形成されていることにより、熱収縮性巻付けラベル１を容器９に装着した際に、抜き部４側に突出した摘み部５を形成できる。
【００３５】
また、上記第１実施形態では、一方引裂き補助線７Ｌは一方下斜めに延設されているが、これに限定されず、例えば、図９に示すように、一方引裂き補助線７Ｌが上下方向と平行に延設されていてもよい。この場合、一方引裂き補助線７Ｌに沿って熱収縮性巻付けラベル１を容易に切り取ることができるようにするために、熱収縮性巻付けラベル１を容器９に巻き付ける際、熱収縮性フィルム２の他方縁２２Ｒが一方引裂き補助線７Ｌに一致するように、他方摘み部５Ｒを一方摘み部５Ｌに重ねて接着することが好ましい。
【００３６】
［第５実施形態］
また、上記各実施形態では、他方側端部２２を一方側端部２１の表面に重ね合わせて装着する熱収縮性巻付けラベルを例示したが、一方側端部２１を他方側端部２２の表面に重ね合わせて装着する熱収縮性巻付けラベルに変更することもできる。
この場合、巻き付け時に外側に配置される一方側端部２１が捲れないようにするために、例えば、図１０に示すように、一方上方領域８Ｌに接着部３９を設けておく。好ましくは、図示のように、少なくとも一方臨側縁８１Ｌ及び一方非臨側縁８２Ｌを含む一方上方領域８Ｌに接着部３９を設けておく。なお、他方上方領域８Ｒには、接着部を設けなくてもよいし（図１０参照）、或いは、必要に応じてスポット的に接着部を設けてもよい。ラベルの形状などのその他の構成は、上記各実施形態と同様である。なお、図１０の熱収縮性巻付けラベルの形状は、便宜上、第２実施形態のものを使用している。
【００３７】
［他の実施形態］
上記各実施形態の図示例では、一方臨側縁８１Ｌと他方非臨側縁８２Ｒとは、同じ形状であるが、異なる形状であってもよい。一方引裂き補助線７Ｌと他方引裂き補助線７Ｒも同様に、異なる形状であってもよい。
また、上記各実施形態では、第１接着部３１は、横切取り補助線６よりも下方の領域全体に設けられているが、これに限定されず、横切取り補助線６よりも下方の領域のうち一方側端部２１及び他方側端部２２に少なくとも設けられていればよい。
さらに、上記各実施形態では、２つの引裂き補助線７Ｌ，７Ｒが形成されているが、そのうちの何れか一方のみが形成されていてもよく、或いは、何れも形成されていなくてもよい。
熱収縮性巻付けラベルを容器に巻き付けた際、内側に配置される領域に少なくとも引裂き補助線が形成されていることが好ましい。内側に配置される領域に少なくとも引裂き補助線が形成されていることにより、摘み部５を摘んで引き出した際にその引裂き補助線に沿って横切取り補助線６まで比較的容易に切り取ることができるようになる。なお、前記内側に配置される領域に形成される引裂き補助線は、第１乃至第４実施形態では、一方引裂き補助線７Ｌに相当し、第５実施形態では、他方引裂き補助線７Ｒに相当する。
【００３８】
また、上記各実施形態では、熱収縮性巻付けラベル１の裏面側を基準に説明したが、これに限定されず、各実施形態について表面側を基準としてもよい。例えば、図１を表面側から見たラベルの平面図とした場合、このラベル１の一方側端部２１を容器９に貼り付け、上から見て反時計回りにラベル１を容器９に巻き付けることになる。この場合、得られるラベル付き容器は、摘み部５（５Ｌ，５Ｒ）から横切取り補助線６に向けて引裂き補助線７Ｌ，７Ｒが時計回り且つ下方に（ラベル付き容器の正面から見た場合に左下斜めに）延びることになり、摘み部５から時計回り且つ下方に（左下斜め方向に）スムースに切れていくことになる。
【符号の説明】
【００３９】
１  熱収縮性巻付けラベル
２  熱収縮性フィルム
３１，３２，３３，３４，３５  接着部
４  抜き部
５  摘み部
５Ｌ  一方摘み部
５Ｒ  他方摘み部
６  横切取り補助線
７Ｌ  一方引裂き補助線
７Ｒ  他方引裂き補助線
８Ｌ  一方上方領域
８Ｒ  他方上方領域
８１Ｌ  一方上方領域の臨側縁
８２Ｒ  他方上方領域の非臨側縁
【図１】
2015121743.tif 000003
【図２】
2015121743.tif 000004
【図３】
2015121743.tif 000005
【図４】
2015121743.tif 000006
【図５】
2015121743.tif 000007
【図６】
2015121743.tif 000008
【図７】
2015121743.tif 000009
【図８】
2015121743.tif 000010
【図９】
2015121743.tif 000011
【図１０】
2015121743.tif 000012